(57)【特許請求の範囲】
【請求項１】
少なくとも天面には、図形やその他の表示の印刷部分を除く部分叉は全面に、他の部分とは異なる色彩により、中芯の段とほぼ平行する連続叉は不連続の多数の筋等を、中芯の段の並び方向に沿って所定のピッチで表したことを特徴とする段ボール箱。
【請求項２】
各筋等の幅が中芯の段頂相互の間隔よりも狭い、請求項１に記載の段ボール箱。
【請求項３】
前記筋等と当該筋等に隣接する他の部分の中心間の間隔が、中芯の段頂相互の間隔よりも狭い、請求項１又は２に記載の段ボール箱。
【請求項４】
前記筋等は金色，黄色，黄土色又は淡褐色であり、前記他の部分は白色，乳白色，銀色叉は淡灰色である、請求項１〜３のいずれかに記載の段ボール箱。
【発明の詳細な説明】
【０００１】
【発明の属する技術分野】
この発明は一般的には段ボール箱に関するものであり、さらに特別には、商品包装用の段ボール箱に関するものである。
【０００２】
【従来の技術】
通常、商品を包装する段ボール箱の表面に、被包装物である当該商品その他の図形や模様を印刷することは普通に行われている。
ところで、原紙の地色のままの段ボールの表面には、製造時における中芯とライナとの貼合，乾燥などの工程を経ることにより、中芯の段頂に沿って他の部分よりも表面側に僅かに浮き上がった固い筋状の貼合跡が表れる。
【０００３】
【発明が解決しようとする課題】
内部に商品を包装した段ボール箱の特に天面と底面には、輸送，荷積みなどの過程における粉塵の付着や擦れなどにより、例えば図５で例示したように、段ボール中芯の段１１の貼合跡に沿って筋状に汚れ１２が発生し易い。
この汚れ１２は、段ボール箱の表面の図形や模様が印刷されている部分についても同様に表れる。
店頭などに積まれた段ボール箱に前述のような汚れ１２が目立つと、その段ボール箱が特に飲食物，薬品，化粧品や洗剤などを包装する箱である場合、顧客に不潔感を与え、それらの商品や店舗のイメージを著しく損なう問題があった。
この発明の目的は、前述のような汚れが目立たないようにした段ボール箱を提供することにある。
【０００４】
【課題を解決するための手段】
この発明は、前述の課題を解決するため以下のように構成している。
すなわち、請求項１の発明による段ボール箱は、少なくとも天面には、図形やその他の表示の印刷部分を除く部分叉は全面に、他の部分とは異なる色彩により、中芯の段とほぼ平行する連続叉は不連続の多数の筋等を、中芯の段の並び方向に沿って所定のピッチで表したことを特徴としている。
【０００５】
段ボール箱表面の筋状の汚れは、箱の天面、すなわち、例えばＢ形箱のフラップ付蓋やＣ形箱の蓋の表面において最も目立つので、前述の筋等は少なくともその天面（Ａ形箱の上部フラップ表面、Ｂ形箱及びＣ形箱の蓋の表面）に表されていればよい。
ただし、店舗などにおけるダンボール箱の荷積み状態その他の条件により、天面以外の面が目につきやすい場合には、ダンボールの高さ面，幅面や底面にも前記筋等を表すことができる。
【０００６】
箱の天面に被包装商品を示す図形や「われもの」「取扱注意」その他の表示を印刷した場合、これらの印刷部分には前記筋等を表さないのが好ましい。ただし、商品の図形の部分には、前記筋等をオーバラップして表しても差し支えない。
【０００７】
各筋等は、それらの幅が均一でも不均一でも差し支えない。ここで筋等の幅とは、例えば筋等が連続又は不連続の帯状である場合はその帯状要素の幅であり、その筋等が、所定の模様要素が不連続で列状に並んでいる状態のものであればそれらの要素の列の最大部分の幅を言う。
【０００８】
前記筋等の色が他の部分の色とは異なっているということは、前記天面の段ボールの色が少なくとも二色であることを意味するが、当該筋等は二色以上の多色を用いてもよい。
また、筋等は全長にわたって同じ色であることを要せず、例えば、その長さ方向に沿って異なる色の部分が交互に配置されていても差し支えない。
【０００９】
請求項２の発明は、請求項１の段ボール箱において、各筋等の幅を中芯の段頂相互の間隔よりも狭くしたものである。
【００１０】
請求項３の発明は、請求項１叉は２の段ボール箱において、前記筋等と当該筋等に隣接する他の部分の中心間の間隔を、中芯の段頂相互の間隔よりも狭くしたものである。
【００１１】
請求項４の発明は、請求項１〜３のいずれかに記載の段ボール箱において、前記筋等を金色，黄色，黄土色又は淡褐色にし、前記他の部分を白色，乳白色，銀色叉は淡灰色にしたものである。
【００１２】
【作用】
請求項１の発明の段ボール箱によれば、天面の図形やその他の表示の印刷部分を除く部分叉は全面に表されている多数の筋等は、段ボール中芯の段とほぼ平行していて、他の部分とは色彩が異なっているため、見る者の目にある種の錯覚を起こさせ、前述の筋状の汚れが前記筋等が形成する模様に埋没し、その汚れは目立たなくなる。
前述のように、筋状の汚れが目立たなくなるのは、前記多数の筋等によって見る者の目に錯覚を起こさせることによるものであるから、前記筋等は連続又は不連続の筋、あるいは、例えば点線や、所定の要素図形が所定の間隔で一列状に並んでいるものが多数平行に表されている場合のように、全体として多数の筋のように見える筋様模様であれば充分その機能を果たすことができる。
【００１３】
請求項２の段ボール箱によれば、各筋等の幅が段ボール中芯の段頂相互の間隔よりも狭いために、前述の筋状の汚れは一層目立ち難くなる。
【００１４】
請求項３の段ボール箱によれば、前記筋等と当該筋等と隣接する他の部分の中心間の間隔が、中芯の段頂相互の間隔よりも狭いために、前述の筋状の汚れはさらに一層目立ち難くなる。
【００１５】
請求項４の段ボール箱によれば、前記筋状の汚れが目立たない上に、前記筋等の部分が金色，黄色，黄土色又は淡褐色であり、他の部分が白色，乳白色，銀色又は淡灰色であることにより、前記他の部分の色彩とのコントラストによって外観がよりきれいになる。
【００１６】
【発明の実施形態】
図１〜図４を参照しながらこの発明による段ボール箱の好ましい実施形態を説明する。
（実施形態１）
図１のように、Ａ段中芯の段ボールを使用したＢ形の段ボール箱１の蓋表面である天面１０には、包装する商品の商標名入りの図形１３や、取扱い上必要な表示１４などが印刷されている。
段ボール箱１の図示されていない長さ面や幅面にも、必要な表示ないし図形が印刷されている。
【００１７】
天面１０の表面の図形１３や表示１４を除く部分には、中芯の段１１とほぼ平行していて、幅ｗ２＝３mm程度の金色の筋等１５と、幅ｗ３＝１．１５mm程度で段ボール原紙（ライナ）１８の地色である白色の筋状部分（他の部分）１６とが、交互に並んだストライプ状模様が表されている。
筋等１５と筋状部分１６の幅ｗ２，ｗ３、及び筋等１５と筋状部分１６の幅方向中心間の間隔ｗ４は、ともに中芯の隣合う段１１の段頂相互の間隔ｗ１よりも狭く設計されている。
白色の筋状部分１６は天面１０の縁取り部１７と連続している。
【００１８】
この実施例では、段ボール箱１の段ボールを製造する前に、その箱１の設計寸法に合わせて、予め段ボール原紙１８の表面へ図形１３，表示１４，筋等１５の部分などを印刷している。
そして、この原紙を用いて段ボールを製造し、その後その段ボールを箱１の設計寸法にしたがって折り目付け及び裁断を行い、その裁断したものを立体化して段ボール箱１を製造している。
【００１９】
この実施例の段ボール箱１は、段１１の段頂の位置と白色の一部の筋状部分１６の位置とがほぼ重なっているので、図示しない商品を包装した箱１の天面が段１１の段頂に沿って筋状部分１６が汚れても、その汚れは、全体としてストライプ状の模様を構成する異なった色彩の筋の一つのように見えるので、あまり目立たない。
したがって、店頭に積まれていても顧客に不潔感を与えることが少なく、その箱１内に包装される商品や店舗のイメージを著しく損なうおそれがない。
また、金色の筋等１５は、白色である筋状部分１６とのコントラストによって外観がよりきれいに見える。
【００２０】
（実施形態２）
図２には他の実施形態が示されている。
Ａ段中芯を使用した図示されていない段ボール箱の天面１０の全面には、ともに中芯の段１１とほぼ平行する状態に、幅ｗ２＝２．１mm弱で黄土色の筋等１５と、幅ｗ３＝２．１mm弱で白色の筋状部分１６とが交互に並ぶストライプ状の模様が表されている。
筋等１５は、原紙１８の表面にほぼ２．１mm弱の間隔を置いて印刷したものである。
筋等１５と筋状部分１６の幅ｗ２，ｗ３、及び筋等１５と筋状部分１６の幅方向中心間の間隔ｗ４はほぼ等しく、ともに中芯の隣合う段１１の段頂相互の間隔ｗ１よりも狭く設計されている。
【００２１】
この実施形態では、筋等１５が段１１の段頂と重なっているが、段頂に沿ってこの部分が図２でなし地様の多数の点で表されているように汚れても、その汚れは他の筋等１５は筋状部分１６とは異なった色彩の筋のように見えるのでほとんど目立たない。
この実施形態において、他の構成や作用，効果は実施形態１の段ボール箱とほぼ同様であるので、それらの説明は省略する。
【００２２】
（実施形態３）
図３にはさらに他の実施形態が示されている。
Ａ段中芯を使用したＢ形段ボール箱の天面１０には、ともに中芯の段１１とほぼ平行する状態に、幅ｗ２が段１１の段頂相互の間隔ｗ１のほぼ半分で金色の筋等１５（斜線部分）と、幅ｗ３＝幅ｗ２で白色である筋状部分１６とが交互に並ぶストライプ状の模様が表されている。
この実施形態の各筋等１５は、所定間隔置きの間欠部１６ｃを介して断続しており、各間欠部１６ｃは筋状部分１６と同様に段ボール原紙１８の地色である。
筋等１５，筋状部分１６の幅方向中心間の間隔ｗ４は、筋等１５及び筋状部分１６の幅ｗ２，３とほぼ等しく設定されている。
この実施形態のように、筋等１５が断続している場合でも、段頂に沿った筋状の汚れは目立たない。
この実施形態の筋等１５における間欠部１６ｃは原紙の地色であるが、他の色を着色しても差し支えない。
その他の構成や作用，効果は実施形態１の段ボール箱とほぼ同様であるのでそれらの説明は省略する。
【００２３】
（実施形態４）
図４にはさらに他の実施形態が示されている。
この実施形態の段ボール箱１において、天面１０の模様を構成する筋等１５及び筋状部分１６は、長さ方向に沿って同じ長さの一部分１５ａ，１６ａと他部分１５ｂ，１６ｂとが交互に位置して連続しており、各筋１５及び各筋状部分１６の隣合う一部分１５ａ，１６ｂ及び隣合う他部分１５ｂ，１６ｂは、それぞれ異なる色で着色されている。
この実施形態において、それぞれ細斜線で表されている筋等１５の一部分１５ａと隣の筋状部分１６の他部分１６ｂは薄灰色であり、筋等１５の他部分１５ｂと隣の筋状部分１６の一部分１６ａは原紙１８の地色である。
この実施形態の段ボール箱１の他の構成や作用，効果は、実施形態１の段ボール箱とほぼ同様であるのでそれらの説明は省略する。
【００２４】
前述の各実施形態では、筋等１５又は筋状部分１６が中芯の段頂と重なるように構成されているが、筋等１５と筋状部分１６との境界線の部分が中芯の段頂と重なるように構成されていても、ほぼ同様な効果を発揮する。
また、各実施形態の模様は、金色又は黄土色の筋等１５と白色の筋状部分１６の二色の筋が交互に並ぶように配置されているが、その他の色彩による三色以上の筋が交互にあるいは順不同に並ぶように構成されていても差し支えない。
さらに、筋等が不連続である場合には点線状であっても同様な効果をもって実施することができる。なぜならば、点線状でも全体としては筋ないし筋様に見え、それが他の部分と異なる色彩であれば、視覚にある種の錯覚を起こさせて表面の汚れが目立ち難くなるからである。
【００２５】
図１の実施形態の段ボール箱１には、図形１３の部分には筋等１５を表していないが、取扱い上の注意事項である表示１４の部分を除く図形１３の部分には、筋等１５や筋状部分１６をオ−バラップさせて表示することができる。
【００２６】
【発明の効果】
請求項１の発明によれば、段ボール中芯の段の並び方向に沿って所定のピッチで表された多数の筋等が段ボール中芯の段とほぼ平行していて、隣接する他の部分とは色彩が異なっているので、中芯の段頂と対応する筋状の汚れは、前記筋等による模様に埋没してあまり目立たない。
【００２７】
請求項２又は３の発明によれば、各筋等の幅や、隣合う筋等と他の部分との相互の幅方向の中心間の間隔が、段ボールの段頂相互の間隔よりも狭いために、前述の筋状の汚れは一層目立たなくなる。
【００２８】
請求項４の段ボール箱によれば、前記筋状の汚れが目立たない上に、前記筋等の部分が金色，黄色，黄土色又は淡褐色であり、他の部分が白色，乳白色，銀色又は淡灰色であることにより、前記他の部分の色彩とのコントラストによって外観がよりきれいになる。
【図面の簡単な説明】
【図１】  この発明による段ボール箱の一実施形態を示す部分平面図である。
【図２】  この発明による段ボール箱の他の実施形態において、その段ボール箱の天面の部分のみを示す部分斜視図である。
【図３】  この発明による段ボール箱のさらに他の実施形態を示す部分平面図である。
【図４】  この発明による段ボール箱のさらに他の実施形態を示す部分平面図である。
【図５】  段ボール箱の天面の汚れ状態を示す部分斜視図である。
【符号の説明】
１  段ボール箱
１０  天板
１１  中芯の段
１２  汚れ
１３  図形
１４  表示
１５  筋等
１６  筋状部分
１５ａ，１６ａ  一部分
１５ｂ，１６ｂ  他部分
１７  縁取り部
１８  段ボール原紙
ｗ１  中芯の隣合う段頂相互の間隔
ｗ２  筋等１５の幅
ｗ３  筋状部分１６の幅
ｗ４  筋等１５と筋状部分１６の幅方向中心間の間隔
【図１】
0003773972.tif 000002
【図２】
0003773972.tif 000003
【図３】
0003773972.tif 000004
【図４】
0003773972.tif 000005
【図５】
0003773972.tif 000006